(57)【要約】  スノーボード結束具は、ベースプレート（１）と該ベースプレート（１）の中央部の円形状中央開口部内にあるセンターディスク（６）とを有して成る。スノーボード結束具において、該センターディスク（６）は、スノーボード（８）に向かってテーパー付けされた周辺部によって、該中央開口部を中心として該スノーボード（８）から遠隔して拡幅する、ベースプレート（１）の円周部（９）上に載置され、スノーボードに固定するための固定要素のための固定開口部を配設して有する。該センターディスク（６）は、該中央開口部を中心としたベースプレート（1）の円周部（８）における固締具によって該ベースプレート（１）に捻れないように固定される。【選択図】図１
2007501035.tif 000002
【特許請求の範囲】
【請求項１】
ベースプレートと該ベースプレートの中央部の円形状中央開口部内にあるセンターディスクとから成るスノーボード結束具において、
該センターディスクが、スノーボードに向かってテーパー付けされた円周部によって、中央開口部を中心として該スノーボードから遠隔して拡幅する縁端部上に載置され、且つセンターディスクと従ってベースプレートとをスノーボード締結具に固定するための固定要素のための固定開口部を配設して有するスノーボード締束具であって、
該センターディスク（６）を該ベースプレート（１）に捻れないいように固定する固締具（B）を該中央開口部の周囲においてベースプレート（1）の縁端部（９）に取り付けたことを特徴とするスノーボード締束具。
【請求項２】
該固締具（B）が、該ベースプレート（1）上の押圧面（２０）が、スノーボードの方向においてセンターディスク（６）の円周部（７）上の押圧面（１３）に押圧されるように形成されることを特徴とする、請求項１記載のスノーボード結束具。
【請求項３】
該センターディスク（６）の押圧面（１３）及び/又は該ベースプレート（１）上の押圧面（２０）が、該ベースプレート（１）に対抗してセンターディスク（６）が捻れないよう摩擦連結又は巻締め連結を有することを特徴とする、請求項１又は２記載のスノーボード結束具。
【請求項４】
該巻締め連結が、歯車によって形成されることを特徴とする、請求項３記載のスノーボード結束具。
【請求項５】
該押圧面（１３，２０）を該センターディスク（６）及び該ベースプレート（1）とに相互に押圧するための該固締具（B）が、該押圧面（１３，２０）の領域において該センターディスク（６）と該ベースプレート（1）に噛み合うネジ（１５）を有することを特徴とする、請求項２乃至４の内のいずれか一項記載のスノーボード結束具。
【請求項６】
該ネジ（１５）が、該センターディスク（６）の中心点（M）として円形状となるスリット（１６）を該センターディスク（６）及び/又は該ベースプレート（１）上の該押圧面（１３，２０）の領域において貫通し、且つ該センターディスク（６）及び/又は該ベースプレート（１）と該スリットにおいてオーバーラップする拡幅部（１８）を配設して有することを特徴とする、請求項５記載のスノーボード結束具。
【請求項７】
該センターディスクの該押圧面（１３）が、センターディスク（６）と共に一体に形成される、該センターディスク（６）の半径方向突出部（１４）上に配設されることを特徴とする、請求項２乃至６記載のスノーボード締束具。
【請求項８】
該ベースプレート（１）の該押圧面（２０）が、該ベースプレート（１）の後退部（１９）内に配設されることを特徴とする、請求項７記載のスノーボード締束具。
【請求項９】
該スノーボード（８）に向けてテーパー付けされた、該センターディスク（６）上の該円周部（７）及び該スノーボードから遠隔して拡幅する、ベースプレート（１）の縁端部（９）が、平滑状に形成されることを特徴とする、請求項２乃至８のうちの何れか一項記載のスノーボード結束具。
【請求項１０】
該スノーボード（８）に向けてテーパー付けされた、該センターディスク（６）上の該円周部（７）及び該スノーボードから遠隔して拡幅する、ベースプレート（１）内の縁端部（９）が、中央開口部（５）の周囲において凹状に、断面が湾曲状又は階段状に形成されることを特徴とする、前記請求項の内の何れか一項記載のスノーボード締束具。
【請求項１１】
該ベースプレート（１）が、その下部面が該センターディスク（６）の下部面よりも０．５ｍｍより小さく突出することを特徴とする、前記請求項の内のいずれか一項記載のスノーボード締束具。
【請求項１２】
該固定開口部（１１）が、該センターディスク（６）の直径（D）の両側に直径（D）に等しい間隔で配置されることを特徴とする、前記請求項の内の何れか一項記載のスノーボード締束具。
【請求項１３】
該固定開口部（１１）が、該センターディスク（６）の直径（D）と平行する縦穴として形成されることを特徴とする、請求項１２記載のスノーボード締束具。
【請求項１４】
直径（D）の一面上における該センターディスク（６）の該押圧面（１３）が、直径（D）の他面における該押圧面（１３）の角度（B）よりも小さい角度（Ａ）で閉止完結することを特徴とする、請求項１２又は１３記載のスノーボード結束具。
【発明の詳細な説明】
【技術分野】
【０００１】
本発明は、請求項１の上位概念に従ったスノーボード結束具に係わる。
【背景技術】
【０００２】
この種のスノーボード結束具は、既に公知となっている（例えばEP  ０  ６２４  １１２  B1を参照のこと）。この場合、ベースプレートは、センターディスクに対して３6０°回転可能である。捩れを防止するために、スノーボードに対して例えば円錐状又は階段状にテーパー付けされた、センターディスクの周辺部には、歯車具が配設され、このギアー部が、相当する歯車においてスノーボードから遠隔して拡幅する、ベースプレートの円周部と中央開口部の周囲で噛み合うのである。固定応訴として、センターディスク内の固定開口部を貫通してスノーボード内に挿入されたネジケース、所謂インサートの内部にネジ止めされるネジを使用するのである。
【０００３】
ベースプレートの捩れを防止するために、押圧の極めて高いギヤーを一緒に押圧する必要があり、即ち、２００Nmもの回転固締を必要とする。これによって、公知の結束具においては、センターディスクを若干より薄肉に構成し、その結果センターディスクはその下部面が、ベースプレートの下部面と比較して例えば２ｍｍ上方へ突出することになる。固定用ネジを締結した場合、相対的に可撓性の良いスノーボードは、この領域で上方ヘ引っ張られ、その結果スノーボードのライニング面は凹状となる。このことは、滑走特性に対して明確にマイナスに作用を及ぼし、エッジ切り替えと直滑走制御がより困難になる。
【０００４】
スノーボードにかかる締束具を個別に取り付けるために、センターディスクには、センターディスクの両サイドにおいてセンターディスクの直径に対して平行に走行する縦穴を配設するのである。結束具の取り付けを変更しようとすると、ネジを緩める必要がある。こうすることによって同時にスタンス角度、従ってベースプレートのスノーボードの横軸に対する角度を意図することなく変わる可能性が生じる。
【特許文献１】EP  ０９９８９６３  B1
【発明の開示】
【発明が解決しようとする課題】
【０００５】
本発明の課題は、ねじれに対して信頼性よく保証されたベースプレートにおいて固定ネジを締結してもライニングの捩れが全くない、スノーボード締束具を提供することである。同時にセンターディスクに縦穴を配設した場合、スノーボードへの締束具の取り付けを変更してもスタンス角度の調整が全く必要でなくなるのである。
【課題を解決するための手段】
【０００６】
このことは、本発明に従えば特許請求の範囲の請求項１によって特徴ずけられるスノーボード結束具によって実現されるのである。従属請求項においては、本発明の有利な実施態様が詳述される。
【発明の効果】
【０００７】
本発明に従ったスノーボード締束具は、該中央開口部の周囲においてベースプレートの円周部に取り付けた固締具（B）を配設して有する。このような追加配設した固締具によって、センターディスクは、ベースプレートに極めて強固に固定されるため、ベースプレートに対して自ら捩れることは出来なくなるのである。即ち、センターディスク、従ってベースプレートがスノーボードに対して垂直横断方向に固定・締着することが、従来と同様にセンターディスク内の固定開口部を経由してスノーボードのインサート内にネジ止めされる固定要素、従って例えばネジによって実行され、同時に該固締具が、ベースプレートにセンターディスクを捩れることなく固定するのである。
【発明を実施するための最良の形態】
【０００８】
本発明に従えば、スノーボードに向かってテーパー付けされたセンターディスクの円周部においてまた中央開口部を中心として該スノーボードから遠隔して拡幅するベースプレートの円周部に、センターディスクに対するベースプレートの捩れを防止するために同時に押圧する必要があるギヤー具を全く配設する必要がなくなるのである。即ち、センターディスクの円周部及びベースプレートの縁端部も、ネジ具なしに、従って平滑状態に形成することが出来ることになる。
【０００９】
かくして、本発明に従えば、センターディスクがベースプレートの下部面と同一面で閉止完結し、その結果スノーボードは、固定ネジを締結した場合でも歪むことはなく、従ってライニング面も結束具の下方で変形することはなくなる。従って本発明に従えば、スノーボード上に載置される下部面を有するベースプレートは、好ましくはセンターディスクの下部面よりも好ましくは高々０．５ｍｍ突出する。
【００１０】
好ましくは、固締具は、センターディスクの円周部における押圧面をベースプレート上の押圧面に対し押圧するように形成される。これらの二つの押圧面を同時に押圧するためには、固締具は好ましくは、該センターディスク及びベースプレート内の押圧面の領域で噛み合うネジを一本有するのである。
【００１１】
こうすることによって、スタンス角度は、単一のネジを作動させることによって変更することが可能となるのであり、これに対して従来はセンターディスクの全ての固定用ネジを緩める必要があったのである。
【００１２】
その他、センターディスクを締束具組立て地点までの輸送時においても結束具に固定し、従って従来の場合そうであったようにケース内又はその他の容器内でもバラすことはなく収納することが、固締具、即ちネジによって確保されるのである。
【００１３】
センターディスクの押圧面は、好ましくは半径方向に伸展するセンターディスク上の突出部から形成される。ベースプレート１の押圧面は、この突出部がその該押圧面で係合し、好ましくは後退部において、例えばベースプレートの下部面において配設される。センターディスクをベースプレート１に対して捩れ防止に必要な２００ＮＭで固定することが出来るために、相当する材料による摩擦連結又は例えば歯車具による巻締め連結が、相互に押圧する押圧面に配設される。
【００１４】
この突出部上の押圧面をネジによってベースプレート上の押圧面に対して押圧出来るためには、好ましくは突出部内又はベースプレート内に、センターディスクの中点を円の中心とする円弧形状を呈する一本のスリットを設けるのである。このようなスリットを当該ネジが貫通するのであって、この際ネジには、拡幅部が設けられ、この拡幅部が、突出部内で突出部のベースプレートから遠隔する突出部の面上において、従って突出部の下部面においてこのスリットとオーバーラップし、一方ベースプレート内のスリットにおいては、この拡幅部が突出部から遠隔する面においてベースプレートとオーバーラップするのである。この拡幅部は、該ネジがネジ止めされるナット、又はネジ頭に設けられる。
【００１５】
押圧面がベースプレート１に設けられる際の角度範囲においては、スノーボードから遠隔伸展するベースプレートの縁端部は、一つの後退部を有する。これによって、センターディスクがベースプレート上の円周部に載置される面が、相応して小さくなる。
【００１６】
かかる角度範囲ではベースプレートが後退部を有するものであるが、スノーボードに垂直に結束具を固定することが顕著に障害されない程度にこの角度範囲を小さくすることが出来る。
【００１７】
スノーボード滑走時においては、スノーボードライダーは、ｒｅｇｕｌａｒスタイルと称される滑走方向において左足を前に置くか、又はＧｏｏｆｙスタイルと称される右足を前に置く。
【００１８】
長手方向におけるベースプレートが、スノーボードに対して正確にス直横断して配置された場合、スタンス角度０°と称する。滑走方向における前足は、スタンス角度が少なくとも滑走方向において１０°と３５°との間にある。また後足は、大抵の場合スタンス角度が滑走方向に１０°の時は滑走方向から逆に１０°まで後退する。二つの滑走スタイルを顧慮すると、二つの結束具の調節範囲は、相互に１０°また外側に３５°で充分である。これによって、調節角度として最大４５°が得られるが、この角度で二つの滑走スタイルがカバーされる。
【００１９】
かくして、突出部内の円弧状のスリットは、好ましくは角度として最大４５°を有し、また安全最大幅は６０°である。ベースプレートの拡幅縁端領域における後退角度は、これに応じて小さくすることが出来る。即ち、センターディスクがスノーボードに向けてテーパー付けされる円周部に載置される、スノーボードから中央開口部を中心として遠隔拡幅するベースプレートの縁端部は、本発明に従った結束具においては少なくとも２４０°であれば問題がなく、その結果スノーボードに対して垂直な結束具のより確実な固定が確保されることになる。
【００２０】
スノーボードに向けてテーパー付けされたセンターディスクの円周部及び中央開口部を中心としてスノーボードから遠隔して拡幅するベースプレートの縁端部は、凹状、断面が円弧状又は階段状に形成されてもよい。階段状に形成した場合、好ましくは一つの段だけが設けられる。即ち、センターディスクは、その下部面においてまたベースプレート１は、その上部面において外側方向にまた内側方向に突出する半径方向フランジをそれぞれ有するのである。
【００２１】
一般的に言って、固定用ネジ又はその種の固定要素のためにセンターディスク内には三つ又は四つの固定開口部が配設される。この際、固定開口部が四つである場合は、ディスクの一方の半分に二つまた他の半分に二つの開口部がそれぞれ配設され、固定開口部が三つの場合は、ディスクの一方の半分に二つまた他の半分に一つの開口部が配設される。ディスクの半分に設けた二つの開口部は、センターディスクに配設した二つの開口部また一つの開口部と同様に、センターディスクの直径からの間隔を等しくする。
【００２２】
スノーボード上において結束具を横断方向に調節するために、これらの固定開口部は好ましくは、センターディスクの両側面において円直径に平行に走行する縦穴として形成される。
【００２３】
角度が例えば最大４５°である円弧状スリットで操作するためには、かかる直径が円弧状のスリットを非対称に切断する必要がある、即ち、そうすることによって、該スリットは、一つの部分を１０°でまた他の部分を３５°で有し、かくして短いセクション、従って１０°のセクションは、センターディスクを上から右側に見た場合左足用になり、また短いセクション、即ち１０°のセクションはセンターディスクを上から左側に見た場合右足用になる。
【００２４】
左足及び右足のためにセンターディスクを非対称に形成することによって、センターディスクを製造するために二つの射出用型を使用しなければならない。しかしながらこのような部品を複数の型によって製造するので、指摘するに価する追加費用を伴なうものではない。
【実施例】
【００２５】
以下において、添付した図面によって本発明をより詳細に説明する。
【００２６】
図１に従えば、ソフトブーツのスノーボード結束具は、一枚のベースプレート１を有し、このベースプレートにハイバック２並びに足の甲バンド３と足指バンド４が固定される。このベースプレート1の中央部の円形状中央開口部５には、センターディスク６が設けられ、またこのセンターディスクの上方側には半径方向フランジ７が配設されており（図２及び３）、その結果センターディスクは、スノーボード８向けてテーパー付けされた、階段状の円周部を有することになる。このベースプレート1は、中央開口部５の周囲に半径方向のフランジ９を配設して有し、かくしてこのベースプレート1は、スノーボード８から段階的に遠隔拡幅する縁端部を有することになる。フランジ７及び９は、平滑状に形成され、並列して位置する。スノーボード８に垂直方向１０にセンターディスク６を固定しまたこれによってベースプレート1を固定するために、このセンターディスク６内に四つの縦穴１１を設け、この縦穴にネジが噛み合い、次いでこれらネジは、図示していないスノーボード８のインサート内にネジ止めされる。
【００２７】
ベースプレート1を捩れないように固定するために、固締具Ｂを配設するが、これは、一つの押圧面１３をスノーボードの方向においてセンターディスク６上の半径方向突出部１４に押圧し、従って垂直方向１０にベースプレート1の押圧面２０に押圧するように形成される。この固締具Ｂは、突出部１４内のスリット１６を貫通するネジ１５によって形成される。このスリット１６は、センターディスク６の中心点Ｍに対して円形状に形成される。ネジ１５は、矢張りベースプレート1を貫通し、そのネジ頭１７によってベースプレート1の上方側に載置支持され、また同時にその下端においてスリット１６にオーバーラップするナット１８内にネジ止めされる。突出部１４は、ベースプレート１の下方側において、押圧面２０が含まれる円周部１９と係合する。
【００２８】
押圧面１４及び円周部１９がベースプレート１内で形成する角度αの範囲において、ベースプレート１の半径方向フランジ９は、角度が少なくとも角度αに相当する円周部を中央開口部において有する。この角度αは、例えば１２０°であればよい。突出部１４上の押圧面１３及びベースプレート1上の押圧面２０には、図示していない摩擦連結を形成する。
【００２９】
四つの縦穴１１は、二つずつセンターディスク６のそれぞれの半分に設けられるように配列するが、この際これらの縦穴は、センターディスク６の直径から等しい距離とする。縦穴１１は、センターディスク６の直径Ｄに平行に走行する。
【００３０】
あらゆる滑走スタイルをカバーするために、ベースプレート１は、センターディスク６に対して４５°までで回転する必要がある。即ち、前側の足は大抵の場合は、滑走方向に１０°と３５°との間に位置ずけられ、また後側の足は、滑走方向における１０°から滑走方向から逆に１０°までに位置ずけられる。
【００３１】
スリット１６を最大４５°なる角度で形成するためには、直径Ｄは、突出部１４内の円弧状のスリット１６を切断するが、この際スリット１６が、角度１０°のセクションＡと角度３５°のセクションＣとを有するように切断するのである。かくして図４においては、結束具を下から見た場合の右足用の１０°セクションＡ及び３５°セクションＢとが図示してある。
【図面の簡単な説明】
【００３２】
【図１】スノーボード結束具の斜視図である；
【図２】図１に従った結束具の部分断面図である；
【図３】下から見たセンターディスクの斜視図である；及び
【図４】下から見た結束具の図である。
【符号の説明】
【００３３】
１；  ベースプレート
２；  ハイバック
３；  足の甲バンド
４；  足指バンド
５；  中央開口部
６；  センターディスク
７、９；  フランジ
８；  スノーボード
９；  ベースプレートに対する垂直軸
１１；  縦穴
１３、２０：該押圧面
１４：  突出部
１５；  ネジ
１６：  スリット
１７；ネジ頭
１８;  ナット
１９：  円周部
A：  角度
B：  固締具、角度
D:  センターディスクの直径
M：  中心点
【図１】
2007501035.tif 000003
【図２】
2007501035.tif 000004
【図３】
2007501035.tif 000005
【図４】
2007501035.tif 000006
【手続補正書】
【提出日】平成17年1月7日(2005.1.7)
【手続補正１】
【補正対象書類名】明細書
【補正対象項目名】特許請求の範囲
【補正方法】変更
【補正の内容】
【特許請求の範囲】
【請求項１】ベースプレート（１）とベースプレートの中央部の円形状中央開口部（５）内にあるセンターディスク（６）とから成るスノーボード結束具において、
該センターディスク（６）が、スノーボード（８）に向かってテーパー付けされた周辺部によって、該中央開口部を中心として該スノーボード（８）から遠隔して拡幅するベースプレート（１）の円周部上に載置され、且つセンターディスク（６）と従ってベースプレート（１）とをスノーボード（８）に固定するための固定要素のための固定開口部（１１）とベースプレート（１）の縁端部において中央開口部（５）に配置されて、センターディスク（６）をベースプレート（１）に捩れないように固定する固締具（B）を配設して有するスノーボード締束具であって、
該ベースプレート（１）と該センターディスク（６）の周囲部において押圧面（１３，２０）が設けられること、該固締具が、該ベースプレート（１）上の該押圧面（２０）を該センターディスク（６）の周囲部（７）上における該押圧面（１３）に対してスノーボード締結具（８）を基準として垂直方向に押圧すること、及び該センターディスク（６）の周囲部上の該押圧面（１３）が、該センターディスク（６）と一体に形成される該センターディスク（６）の半径方向突出部（１４）において設けられることとを特徴とするスノーボード締束具。
【請求項２】該センターディスク（６）の押圧面（１３）及び/又は該ベースプレート（１）上の押圧面（２０）が、該ベースプレート（１）に対抗してセンターディスク（６）が捻れないよう摩擦連結又は巻締め連結を有することを特徴とする、請求項１記載のスノーボード結束具。
【請求項３】該巻締め連結が、歯車によって形成されることを特徴とする、請求項２記載のスノーボード結束具。
【請求項４】該押圧面（１３，２０）を該センターディスク（６）及び該ベースプレート（1）とに相互に押圧するための該固締具（B）が、該押圧面（１３，２０）の領域において該センターディスク（６）と該ベースプレート（1）に噛み合うネジ（１５）を有することを特徴とする、請求項１ないし３の内のいずれか一項記載のスノーボード結束具。
【請求項５】該ネジ（１５）が、該センターディスク（６）の中心点（M）として円形状となるスリット（１６）を該センターディスク（６）及び/又は該ベースプレート（１）上の該押圧面（１３，２０）の領域において貫通し、且つ該センターディスク（６）及び/又は該ベースプレート（１）と該スリット（１６）においてオーバーラップする拡幅部（１８）を配設して有することを特徴とする、請求項４記載のスノーボード結束具。
【請求項６】該ベースプレート（１）の該押圧面（２０）が、該ベースプレート（１）の後退部（１９）内に配設されることを特徴とする、請求項１記載のスノーボード締束具。
【請求項７】スノーボード（８）に向けてテーパー付けされた、該センターディスク（６）上の該周辺部（７）及び該スノーボード（８）から遠隔して拡幅する、ベースプレート（１）の円周部（９）が、平滑状に形成されることを特徴とする、請求項１ないし６項のうちの何れか一項記載のスノーボード結束具。
【請求項８】該スノーボード（８）に向けてテーパー付けされた、該センターディスク（６）上の該周辺部（７）及び該スノーボード（８）から遠隔して拡幅する、該ベースプレート（１）の円周部が、中央開口部（５）の周囲において凹状に、断面が湾曲状又は階段状に形成されることを特徴とする、請求項１ないし７の内の何れか一項記載のスノーボード締束具。
【請求項９】該ベースプレート（１）が、その下部面が該センターディスク（６）の下部面よりも０．５ｍｍより小さくなるように突出することを特徴とする、請求項１ないし８の内のいずれか一項記載のスノーボード締束具。
【請求項１０】該固定開口部（１１）が、該センターディスク（６）の直径（D）の両側に直径（D）に等しい間隔で配置されることを特徴とする、請求項１ないし９のうちの何れか一項記載のスノーボード締束具。
【請求項１１】該固定開口部（１１）が、該センターディスク（６）の直径（D）と平行する縦穴として形成されることを特徴とする、請求項１０記載のスノーボード締束具。
【請求項１２】直径（D）の一面上における該センターディスク（６）の該押圧面（１３）が、直径（D）の他面における該押圧面（１３）の角度（B）よりも小さい角度（A）で閉塞することを特徴とする、請求項１０又は１１記載のスノーボード結束具。
【国際調査報告】
2007501035.tif 000007
2007501035.tif 000008
2007501035.tif 000009
2007501035.tif 000010